【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含して、前記キャリア材料の前記第１面が前記キャリア材料の前記第２面よりも高い剥離接着力を有する、ロール状両面テープと、
前記標準サイズ入口の高さの５０％より大きい長さを有する少なくとも一つのジッパと、
を包含するパーティション組立キット。
【請求項２】
前記シート状材料と前記ロール状両面テープと前記少なくとも一つのジッパとを格納するためのケースを前記容器が包含する、請求項１に記載のパーティション組立キット。
【請求項３】
再密封可能なケースを前記容器が包含する、請求項２に記載のパーティション組立キット。
【請求項４】
厚紙箱と紙箱とプラスチックケースと帆布バッグとプラスチックバッグと布バッグとで構成されるグループから選択される一つを前記容器が包含する、請求項１に記載のパーティション組立キット。
【請求項５】
前記シート状材料と前記ロール状両面テープと少なくとも一つのジッパの各々が前記ケース内で分離され得るように前記ケースが区画化される、請求項２に記載のパーティション組立キット。
【請求項６】
前記シート状材料と前記ロール状両面テープと少なくとも一つのジッパとが前記容器内に封入される、請求項１に記載のパーティション組立キット。
【請求項７】
前記シート状材料と前記ロール状両面テープと少なくとも一つのジッパの各々が前記容器内で分離され得るように前記容器が区画化される、請求項６に記載のパーティション組立キット。
【請求項８】
前記容器が第１区画と第２区画と第３区画とを包含する、請求項７に記載のパーティション組立キット。
【請求項９】
前記シート状材料が前記第１区画に格納される、請求項８に記載のパーティション組立キット。
【請求項１０】
前記ロール状両面テープが前記第２区画に格納される、請求項８に記載のパーティション組立キット。
【請求項１１】
前記少なくとも一つのジッパが前記第３区画に格納される、請求項８に記載のパーティション組立キット。
【請求項１２】
単層フィルムシート材料と複層フィルムシート材料とプラスチックか合成材料のシート材料と布材料と帆布材料と強化プラスチック防水シート材料のうち少なくとも一つを前記シート状材料が包含する、請求項１に記載のパーティション組立キット。
【請求項１３】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを包含する標準サイズ入口を被覆するのに充分なサイズである、請求項１に記載のパーティション組立キット。
【請求項１４】
前記標準サイズの入口が、
約２’フィートから約８’フィートに及ぶ幅および約５’フィートから約１２’フィートに及ぶ高さ、
を包含する、請求項１に記載のパーティション組立キット。
【請求項１５】
前記キャリア材料の前記第１面がマスキングテープのものとほぼ等しい剥離接着力を有する、請求項１に記載のパーティション組立キット。
【請求項１６】
前記キャリア材料の前記第１面がペインターテープのものとほぼ等しい剥離接着力を有する、請求項１に記載のパーティション組立キット。
【請求項１７】
前記キャリア材料の前記第２面がダクトテープのものとほぼ等しい剥離接着力を有する、請求項１に記載のパーティション組立キット。
【請求項１８】
前記キャリア材料の前記第１面が２０Ｎ／ｉｎより高いか等しい剥離接着力を有する、請求項１に記載のパーティション組立キット。
【請求項１９】
前記キャリア材料の前記第２面が１５Ｎ／ｉｎより低いか等しい剥離接着力を有する、請求項１に記載のパーティション組立キット。
【請求項２０】
約４：３と約６：１の間に及ぶ示差接着力比を前記ロール状両面テープが有し、前記示差接着力比が、前記キャリア材料の前記第１面の前記剥離接着力と前記キャリア材料の前記第２面の前記剥離接着力との比である、請求項１に記載のパーティション組立キット。
【請求項２１】
前記キャリア材料の前記第２面がＵＶ保護剤を包含する、請求項１に記載のパーティション組立キット。
【請求項２２】
前記ロール状両面テープがさらに、前記高粘着性接着材料を有する前記キャリア材料の前記第１面に配置されるテープライナを包含する、請求項１に記載のパーティション組立キット。
【請求項２３】
前記テープライナが赤色剥離ライナを包含する、請求項２２に記載のパーティション組立キット。
【請求項２４】
前記テープライナが紙テープライナを包含する、請求項２２に記載のパーティション組立キット。
【請求項２５】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含して、前記キャリア材料の前記第１面が前記キャリア材料の前記第２面よりも高い剥離接着力を有する、ロール状両面テープと、
前記標準サイズ入口の高さの５０％より大きい長さを有する少なくとも一つのジッパと、
を包含し、
ジッパプルを介して係合または分離される第１および第２務歯部分を各々が有する第１および第２フランジを前記少なくとも一つのジッパが包含し、
前記少なくとも一つのジッパの前記第１および第２フランジの各々に前塗布接着材料が載置される、
パーティション組立キット。
【請求項２６】
前記第１および第２フランジの各々に載置された前記前塗布接着材料に接着された保護用ライナを前記少なくとも一つのジッパがさらに包含する、請求項２５に記載のパーティション組立キット。
【請求項２７】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含して、前記キャリア材料の前記第１面が前記キャリア材料の前記第２面よりも高い剥離接着力を有する、ロール状両面テープと、
前記標準サイズ入口の高さの５０％より大きい長さを有する少なくとも一つのジッパと、
を包含し、
前記少なくとも一つのジッパが第１ジッパと第２ジッパとを包含し、ジッパプルを介して係合または分離される第１および第２務歯部分を各々が有する第１および第２フランジを前記第１および第２ジッパの各々が包含し、
前記第１および第２ジッパの前記第１および第２フランジの各々に前塗布接着材料が載置される、
パーティション組立キット。
【請求項２８】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含して、前記キャリア材料の前記第１面が前記キャリア材料の前記第２面よりも高い剥離接着力を有する、ロール状両面テープと、
前記標準サイズ入口の高さの５０％より大きい長さを有する少なくとも一つのジッパと、
シートカッタと、
を包含し、
ハンドルと、前記ハンドルから延出する第１および第２穿刺フィンガであって、第１および第２穿刺箇所で切断対象の前記シート状材料を穿刺するための構造および構成を持つ穿刺端部を有する穿刺フィンガと、前記第１および第２穿刺箇所を始点として前記シート状材料を切断するような構造および構成を持つとともに前記シート状材料に二つの平行な切込みを形成するための印加切断力の方向に延在する、前記穿刺フィンガの前記穿刺端部と前記ハンドルとの間の第１および第２ブレードとを前記シートカッタが包含する、
パーティション組立キット。
【請求項２９】
前記少なくとも一つのジッパの長さが前記標準サイズ入口の高さの７５％より大きい、請求項１に記載のパーティション組立キット。
【請求項３０】
前記ロール状両面テープの前記キャリア材料が単一キャリア材料で構成される、請求項１に記載のパーティション組立キット。
【請求項３１】
前記キャリア材料が紙キャリア材料を包含する、請求項３０に記載のパーティション組立キット。
【請求項３２】
前記少なくとも一つのジッパが前記シート状材料に前装着される、請求項１に記載のパーティション組立キット。
【請求項３３】
前記少なくとも一つのジッパが第１および第２ジッパを包含する、請求項３２に記載のパーティション組立キット。
【請求項３４】
シート状材料とロール状両面テープと少なくとも一つのジッパとが格納された容器を用意することであって、前記ロール状両面テープ材料が、キャリア材料の第１面の高粘着性接着材料とキャリア材料の第２面の低粘着性接着材料とを有するキャリア材料を包含し、前記キャリア材料の前記第１面が前記キャリア材料の前記第２面より高い剥離接着力を有することと、
前記容器から前記ロール状両面テープを取り出すことと、
前記低粘着性接着材料を有する前記キャリア材料の前記第２面を入口に押し当てることにより前記ロール状両面テープの一部分を前記入口に貼付することと、
前記シート状材料を前記容器から取り出すことと、
前記高粘着性接着材料を有する前記キャリア材料の前記第１面に前記シート状材料を貼付することと、
を包含する、パーティション取付システムの組立方法。
【請求項３５】
前記少なくとも一つのジッパを前記容器から取り出すことと、
前記少なくとも一つのジッパを前記シート状材料に貼付することと、
をさらに包含する、請求項３４に記載の方法。
【請求項３６】
前記ジッパの底部分が前記シート状材料の底部分と整合される、請求項３５に記載の方法。
【請求項３７】
前記キャリア材料の前記第１面に配置されたテープライナを取り除くことで、前記キャリア材料の前記第１面に前記シート状材料を貼付する前に前記高粘着性接着材料を露出させることをさらに包含する、請求項３４に記載の方法。
【請求項３８】
前記容器に格納されたカッタを用意することと、
前記容器から前記カッタを取り出すことと、
前記少なくとも一つのジッパの第１および第２フランジの間にある前記シート状材料の露出部分の上部分に前記カッタを配置することと、
前記カッタの尖端が前記シート状材料の前記露出部分を最初に貫通するように前記カッタに圧力を印加することにより、前記シート状材料を穿刺することと、
前記シート状材料の前記底部分に向かって前記カッタを下向き切断方向に引き下げることにより、前記シート状材料から材料細片を切断することと、
前記シート状材料から前記材料細片を除去することと、
をさらに包含する、請求項３５に記載の方法。
【請求項３９】
前記少なくとも一つのジッパが最小で４フィートの長さである、請求項１に記載のパーティション組立キット。
【請求項４０】
前記少なくとも一つのジッパが最小で５フィートの長さである、請求項１に記載のパーティション組立キット。
【請求項４１】
前記少なくとも一つのジッパが最小で６フィートの長さである、請求項１に記載のパーティション組立キット。
【請求項４２】
前記少なくとも一つのジッパが最小で７フィートの長さである、請求項１に記載のパーティション組立キット。
【請求項４３】
前記少なくとも一つのジッパが最小で８フィートの長さである、請求項１に記載のパーティション組立キット。
【請求項４４】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有する標準サイズ入口を被覆するのに充分なサイズである、請求項１に記載のパーティション組立キット。
【請求項４５】
ストラップをさらに包含する、請求項１に記載のパーティション組立キット。
【手続補正２】
【補正対象書類名】明細書
【補正対象項目名】発明の名称
【補正方法】変更
【補正の内容】
【発明の名称】パーティション取付システムの組立方法、パーティション組立キット